(57)【特許請求の範囲】
【請求項１】
ネットワークを介してコントロールサーバに結合され、ケーブルを用いて少なくとも１つのエンドポイントに結合されるネットワークアクセス装置で行われるネットワークアクセス方法であって、前記ネットワークアクセス装置は、プロセッサと少なくとも１つのドメインマスタとを含み、前記少なくとも１つのドメインマスタは、それぞれ前記少なくとも１つのエンドポイントに結合されており、
前記ドメインマスタが前記エンドポイントとペアリングを行うステップと、
前記ドメインマスタが前記プロセッサにペアリング結果を登録するステップと、
前記プロセッサが、前記ネットワークを介して前記コントロールサーバに前記ペアリング結果の登録を報告するステップと、
前記ドメインマスタと前記エンドポイントとの間のデータサービスが行われている間に、前記プロセッサが前記ネットワークを介して前記コントロールサーバからチャンネル評価要求を受信して、前記チャンネル評価要求を前記ドメインマスタに伝達するステップと、
前記ドメインマスタがペアリングされた前記エンドポイントとチャンネル評価を行うステップと、
前記プロセッサが前記ドメインマスタからチャンネル評価結果を受信して、前記チャンネル評価結果を前記ネットワークを介して前記コントロールサーバに伝送するステップ、
そして、
前記プロセッサが前記コントロールサーバから前記チャンネル評価結果に基づいて算出されたリソースプロビジョニングを受信して、前記リソースプロビジョニングを基盤として前記ドメインマスタと前記エンドポイントのリソースをプロビジョニングするステップ；
を含み、
前記コントロールサーバは、チャンネル評価要求をプロセッサに伝送し、チャンネル評価に対する信号対雑音比（ＳＮＲ）をモニタリングし、スレッショルド値を超えると、チャンネル評価を再び要求し、再受信されたチャンネル評価に基づいてリソースプロビジョニングを算出するネットワークアクセス方法。
【請求項２】
前記ネットワークは、広帯域ネットワークである請求項１に記載のネットワークアクセス方法。
【請求項３】
前記チャンネル評価は、前記ドメインマスタと前記エンドポイントとの間の通信により発生する干渉情報を含む請求項１に記載のネットワークアクセス方法。
【請求項４】
前記ドメインマスタと前記エンドポイントとは、バンドルケーブルにより連結される請求項１に記載のネットワークアクセス方法。
【請求項５】
前記バンドルケーブルは、前記ドメインマスタを含む複数のドメインマスタと前記エンドポイントを含む複数のエンドポイントのそれぞれを１：１に連結する請求項４に記載のネットワークアクセス方法。
【請求項６】
前記複数のドメインマスタのそれぞれのデータ伝送時点とデータ受信時点とが一致するように調整される請求項５に記載のネットワークアクセス方法。
【発明の詳細な説明】
【技術分野】
【０００１】
本発明は、ネットワークアクセス装置及び方法に関する。
【背景技術】
【０００２】
ホームネットワークを外部ネットワークに接続してインターネットサービスを提供する方法としては、ＤＳＬ（ｄｉｇｉｔａｌ  ｓｕｂｓｃｒｉｂｅｒ  ｌｉｎｅｓ）技術を用いた方法がある。ＤＳＬ技術のうち、ＶＤＳＬ（Ｖｅｒｙ−ｈｉｇｈ−ｂｉｔ−ｒａｔｅ  ｄｉｇｉｔａｌ  ｓｕｂｓｃｒｉｂｅｒ  ｌｉｎｅ）は、上り及び下りの全てがＦＤＭ（Ｆｒｅｑｕｅｎｃｙ  Ｄｉｖｉｓｉｏｎ  Ｍｕｌｔｉｐｌｅｘｉｎｇ）方式であり、３０ＭＨｚ帯域を用いて最大１００Ｍｂｐｓでデータを伝送することができる。
【０００３】
しかし、ＶＤＳＬで１００Ｍｂｐｓ以上のデータ伝送速度を達成しようとする場合は、ＶＤＳＬボンディング（ｂｏｎｄｉｎｇ）技術を使用するシステムに取り替えする必要がある。
【０００４】
ところで、ＶＤＳＬボンディング技術は、最小限２ペア以上が要求されるので、ペアの数を増やさない限りＶＤＳＬでは２００Ｍｂｐｓ以上のデータ伝送速度を達成することは困難である。
【０００５】
ギガ級の伝送サービスを提供するための他の方法としては、ホームネットワークを光ファイバに取り替えする方案がある。しかしこの方案は、取り替えの費用が高いという短所があった。
【０００６】
一方、また有線基盤のギガ級のホームネットワークを提供するためにＧ．ｈｎ技術が提案されている。Ｇ．ｈｎ技術は、１ペア（ｐａｉｒ）の銅線（例えば、電力線、電話線、同軸線等）を用い、伝送媒体ごとに最大可溶周波数帯域を把握し、媒体ごとにデータトラフィック管理を採用したものである。
【０００７】
しかし、Ｇ．ｈｎ基盤のホームネットワークを実現するためには、ホームネットワークを外部のイーサネット等の外部広帯域ネットワークに接続するためのネットワークアクセス装置及び方法が必要である。また、データ伝送効率を高めるためには単純接続ではなく、ホーム区間のネットワークに対してリアルタイムでの状態把握及びそれによるホームネットワークを管理できるネットワークアクセス装置及び方法が提供されなければならない。
【０００８】
外部光ネットワークとの接続のための先行文献としては、大韓民国公開特許公報第１０−２０１２−００６８５３７号“ケーブルネットワークでのＯＮＵ装置及び同期化方法”が開示されている。当該技術は、ケーブルネットワークで光ネットワーク装置を提供するものであって、ＥＱＡＭ（Ｅｄｇｅ−Ｑｕａｄｒａｔｕｒｅ  ａｍｐｌｉｔｕｄｅ  ｍｏｄｕｌａｔｉｏｎ）をヘッドエンドではなく光ネットワーク装置内に設けて、ファイバー・ディープ及びマイクロセルの適用を容易にしたものである。
【０００９】
しかし、ホームネットワーク区間のデータ伝送をモニタリングして効率を高める機能は提供できなかった。
【００１０】
また他の先行技術として、大韓民国公開特許公報第１０−２０１０−００１６０９２号  “ＩＥＥＥ  ８０２．１ａｇ方法を用いたＧＰＯＮ  ＯＡＭ”が開示されている。当該技術は、ＯＬＴまたはＯＮＴのような流れ地点のうちのいずれか１つからテストメッセージを発生させ、他の流れ地点でこれに基づいてネットワークの接続状態に関する情報を得るようにしている。ネットワークの接続状態を確認するという点から意味があるものの、ホーム区間のネットワークが動的にプロビジョニングされないという短所があった。
【発明の概要】
【発明が解決しようとする課題】
【００１１】
本発明の一側面によれば、ホームネットワークを構成するケーブルを取り替えることなく、ネットワークサービスの効率を高めることができるネットワークアクセス装置及び方法を提供する。
【００１２】
本発明の他の側面によれば、ホームネットワークがバンドルケーブルにより構成される場合に、干渉を緩和できるようにネットワークアクセス装置を構成し、これを運営する方法を提供する。
【００１３】
本発明のまた他の側面によれば、ネットワーク管理機能をホーム区間に確張できるネットワークアクセス装置及び方法を提供する。
【課題を解決するための手段】
【００１４】
本発明の一側面によれば、ネットワークを介してコントロールサーバ（ｃｏｎｔｒｏｌ  ｓｅｒｖｅｒ）に結合され、少なくとも１つのケーブルを用いて少なくとも１つのエンドポイントに結合されるネットワークアクセス装置において、
上記ネットワークと連動するためのインターフェースモジュールと、上記少なくとも１つのエンドポイントに結合している少なくとも１つのドメインマスタと、上記ドメインマスタと上記インターフェースモジュールとの間でＧ．ｈｎ信号をイーサネット（ｅｔｈｅｒｎｅｔ）信号に変換するアダプテーションモジュール（ａｄａｐｔａｔｉｏｎ  ｍｏｄｕｌｅ）と、上記インターフェースモジュール及び上記少なくとも１つのドメインマスタを制御するプロセッサと、を含むネットワークアクセス装置が提供される。
【００１５】
プロセッサは、ドメインマスタがチャンネル状態を点検するようにし、その結果を受信してこれを上記コントロールサーバに報告し、コントロールサーバは、チャンネル状態に基づいてプロビジョニングを実施できる情報を生成してプロセッサに伝送し、プロセッサは、これに基づいてドメインマスタとエンドポイントとの間のチャンネルのプロビジョニングを行う。
【００１６】
一実施例によれば、上記ネットワークは、光回線終端装置（ＯＬＴ）を含み、上記インターフェースモジュールは、上記光回線終端装置に対するアップリンクインターフェースを行う。
【００１７】
一実施例によれば、上記アダプテーションモジュールは、それぞれ上記少なくとも１つのドメインマスタに結合される少なくとも１つのアダプテーションバッファと、上記インターフェースモジュールと上記少なくとも１つのアダプテーションバッファとの間に結合されているスケジュラーと、を含む。また、上記少なくとも１つのエンドポイントと上記少なくともドメインマスタのうちの少なくとも一対が銅線ケーブルにより結合されることができる。
【００１８】
本発明の他の側面によれば、ネットワークを介してコントロールサーバに結合され、ケーブルを用いて少なくとも１つのエンドポイントに結合されるネットワークアクセス装置で行われるネットワークアクセス方法であって、上記ネットワークアクセス装置は、プロセッサと少なくとも１つのドメインマスタとを含み、上記少なくとも１つのドメインマスタは、それぞれ上記少なくとも１つのエンドポイントに結合されており、
上記ドメインマスタと上記エンドポイントとの間にペアリングを行って登録するステップと、上記ドメインマスタが上記プロセッサに登録を報告するステップと、上記プロセッサが上記ネットワークを介して上記コントロールサーバに登録を報告するステップと、上記プロセッサが、上記ネットワークを介して上記コントロールサーバからのチャンネル評価要求を受信し、上記ドメインマスタに伝達するステップと、上記ドメインマスタが上記エンドポイントとチャンネル評価を行うステップと、上記プロセッサが上記ドメインマスタから上記チャンネル評価を受信し、上記ネットワークを介して上記コントロールサーバに伝送するステップと、を含み、上記コントロールサーバが上記チャンネル評価に基づいてリソースプロビジョニングを算出し、上記プロセッサは、上記ネットワークを介して上記リソースプロビジョニングを受信し、これに基づいて上記ドメインマスタ及び上記エンドポイントがプロビジョニングされるようにする。
【００１９】
一実施例によれば、上記ネットワークは、広帯域ネットワークであってもよく、上記ドメインマスタと上記エンドポイントとの間は、バンドルケーブルにより結合されることができる。また、上記コントロールサーバは、チャンネル評価に対する信号対雑音比（ＳＮＲ）をモニタリングして、スレッショルド値を超えると、チャンネル評価を再び要求し、再受信されたチャンネル評価に基づいてリソースプロビジョニングのためのネットワークパラメーターを算出する。
【発明の効果】
【００２０】
本発明の一実施例に係るネットワークアクセス装置は、Ｇ．ｈｎ技術に基づいてドメインマスタが動作を行い、ドメインマスタにより加入者側のネットワーク（例えば、ホームネットワーク）に関するチャンネル評価が行われ、このように行われたチャンネル評価が外部ネットワーク１０４を介してコントロールサーバに伝達され、コントロールサーバ１０２は、これに基づいて本発明の一実施例に係るネットワークアクセス装置内のプロセッサ１１２  及びドメインマスタ１１８を介してホームネットワークに関するプロビジョニングを実施することができる。したがって、電話線、電力線等により既に構築されているホームネットワークを光ファイバに取り替えることなくホームネットワークの効率を高めることができる。またペアリングの数を増加せず、加入者側のホームネットワークの効率を高めることができる。
【図面の簡単な説明】
【００２１】
【図１】本発明の一実施例に係るネットワークアクセス装置を用いて構築されたインターネットサービス提供システムを示す図である。
【図２】本発明の一実施例に係るインターフェースモジュール１１４の構成を示す図である。
【図３】本発明の一実施例に係るアダプテーションモジュール１１６の構成を示す図である。
【図４】本発明の一実施例に係るネットワークアクセス方法を説明するための図であって、具体的により効率的な通信のために加入者側のネットワークリソースのプロビジョニングを行う方法を説明するための図である。
【図５】本発明の一実施例に係るネットワークアクセス装置において、データインサービス中に加入者側のネットワークのリソースプロビジョニング（ｒｅｓｏｕｒｃｅ  ｐｒｏｖｉｓｉｏｎｉｎｇ）が行われることを説明するための図である。
【図６】本発明の一実施例に係るネットワークアクセス装置を用いて構築されたネットワークサービスシステムの一例を示す図である。
【発明を実施するための形態】
【００２２】
本発明の目的及び効果、そしてそれらを達成するための技術的構成は、添付図面に基づいて詳細に後述する実施例を参照すれば明確になるであろう。本発明を説明するにおいて公知機能または構成に対する具体的な説明が本発明の要旨をかえって不明にすると判断される場合はその詳細な説明を省略する。また後述する用語は、本発明での機能を考慮して定義された用語であって、これは使用者、運用者の意図または慣例等により変わることができる。
【００２３】
しかし、本発明は、以下に開示する実施例に限定されることはなく、互いに異なる多様な形態に実現されることができる。ただ本実施例は、本発明の開示が完全になるようにし、本発明が属する技術分野で通常の知識を有する者に発明の範疇を完全に知らせるために提供されるものであり、本発明は請求項の範疇により定義されるべきである。よって、その定義は本明細書全般にわたった内容に基づいて解釈されなければならない。
【００２４】
以下、添付した図面を参照して本発明の実施例をより詳細に説明する。図面において同一の構成要素には同一の参照符号を付し、同種の構成要素には同一番号にアルファベットの枝番を付した。例えば、複数のドメインマスタには、１１８ａ、１１８ｂ、１１８ｃ、１１８ｄ、１１８ｅ、１１８ｆ、．．．等の参照符号を付した。また同種の構成要素を示す参照符号に含まれた番号は同種の構成要素を代表する参照番号として使用する。よって、ドメインマスタの場合は、１１８が代表参照符号として使用される。
【００２５】
図１は、本発明の一実施例に係るネットワークアクセス装置を用いて構築されたインターネットサービス提供システムを示す図である。
【００２６】
図１を参照すると、ネットワークアクセス装置１１０のアップリンク側は、ネットワーク１０４を介してコントロールサーバ１０２に結合されており、ネットワークアクセス装置１１０のダウンリンク側は、少なくとも１つのケーブル１２０ａ、１２０ｂ、１２０ｃ．．．を用いて少なくとも１つのエンドポイント１３０ａ、１３０ｂ、１３０ｄ、１３０ｇ、１３０ｈ、１３０ｉに結合されている。
【００２７】
実施例によれば、ネットワーク１０４は、ＦＴＴＨ（Ｆｉｂｅｒ  Ｔｏ  Ｔｈｅ  Ｈｏｍｅ）を含むＦＴＴｘ（Ｆｉｂｅｒ  Ｔｏ  Ｔｈｅ  ｘ）のような広帯域ネットワークであって、終端にＯＬＴ等の光回線終端装置を含むことができる。また上記ダウンリンク側のケーブル１２０ａ、１２０ｂ、１２０ｃ．．．は、バンドルケーブル（ｂｕｎｄｌｅ  ｃａｂｌｅ）であってもよい。
【００２８】
ネットワークアクセス装置１１０は、プロセッサ１１２、インターフェースモジュール１１４、アダプテーションモジュール１１６、少なくとも１つのドメインマスタ（ＤＭ：Ｄｏｍａｉｎ  Ｍａｓｔｅｒ  １１８ａ、１１８ｂ、１１８ｃ、１１８ｄ、１１８ｅ、１１８ｆ、．．．）を含んで構成される。インターフェースモジュール１１４は、アップリンク側でネットワークの光回線終端装置との連動機能を行う。ドメインマスタ１１８ａ、１１８ｂ、１１８ｃ、１１８ｄ、１１８ｅ、１１８ｆ、．．．のそれぞれは、ダウンリンク側に結合されている加入者のエンドポイント（ＥＰ：１３０ａ〜１３０ｉ）を管理し、ダウンリンク側の回線の状態を監視してＧ．ｈｎ信号を生成し、伝送媒体に好適に伝送する役割をする。
【００２９】
アダプテーションモジュール１１６は、少なくとも１つのドメインマスタ１１８ａ、１１８ｂ、１１８ｃ、１１８ｄ、１１８ｅ、１１８ｆ、．．．とインターフェースモジュール１１４との間に結合されており、ダウンリンク側のＧ．ｈｎ信号をアップリンク側のイーサネット信号に変換するか、アップリンク側のイーサネット信号をダウンリンク側のＧ．ｈｎ信号に変換する。
【００３０】
プロセッサ１１２は、ネックワークアクセス装置１１０内に含まれているモジュールの諸般の動作を制御する。またプロセッサ１１２は、アップリンク側のネットワークから受信したデータの正常受信の可否をコントロールサーバ１０２に知らせ、当該データに対する優先度（ｐｒｉｏｒｉｔｙ）、ＱｏＳ、トラフィックの種類等のネットワーク制御関連情報を受信する。プロセッサ１１２は、また、ドメインマスタ１１８ａ、１１８ｂ、１１８ｃ、１１８ｄ、１１８ｅ、１１８ｆ、．．．を介してダウンリンク側の回線状態をモニタリングし、その結果をコントロールサーバ１０２に伝送する。
【００３１】
コントロールサーバ１０２は、ネットワークアクセス装置から伝送されたダウンリンク側の回線状態情報（加入者側の回線状態情報）に基づいてダウンリンク側の回線をプロビジョニング（ｐｒｏｖｉｓｉｏｎｉｎｇ）するためにＧ．ｈｎネットワークパラメーター等のネットワークパラメーターを算出し、これをネットワークアクセス装置に伝送する。
【００３２】
プロセッサ１１２は、コントロールサーバ１０２から伝送されたネットワークパラメーターに基づいて加入者側の回線であるダウンリンク側のネットワークをプロビジョニング（ｐｒｏｖｉｓｉｏｎｉｎｇ）する。このようなダウンリンク側のネットワークをプロビジョニングするためにコントロールサーバ１０２とプロセッサ１１２との間に行われる通信は、より信頼性のあるプロトコル、例えばｏｐｅｎｆｌｏｗのようなプロトコルを基盤として行われることが好ましい。
【００３３】
図２は、本発明の一実施例に係るインターフェースモジュール１１４の構成を示す図であり、インターフェースモジュール１１４は、インターフェース２０２、物理階層（ＰＨＹ、２０４）、ＭＡＣ階層（ＭＡＣ、２０６）を含んで構成されることができる。
【００３４】
図３は、本発明の一実施例に係るアダプテーションモジュール１１６の構成を示す図である。アダプテーションモジュール１１６は、少なくとも１つのアダプテーションバッファ（３０４：３０４ａ、３０４ｂ、３０４ｃ、３０４ｄ、．．．）とスケジュラー３０２とを含む。
【００３５】
スケジュラー３０２は、アップリンク側に伝送されるデータ及びアップリンク側から受信されたデータのトラフィック特性を考慮してスケジューリングを行う。具体的に、スケジュラー３０２は、送受信されるデータがバースト（ｂｕｒｓｔ）特性を有しているかどうかを考慮してより効率的にデータ伝送が行われるようにする機能を担う。アダプテーションバッファ３０４は、イーサネット信号とＧ．ｈｎ信号との相互変換機能及びバッファ機能を担う。
【００３６】
図４は、本発明の一実施例に係るネットワークアクセス方法を説明するための図であり、具体的により効率的な通信のために加入者側のネットワークリソースのプロビジョニングを行う方法を説明するための図である。
【００３７】
加入者側のネットワークとしてＤＳＬまたはＡＤＳＬ基盤のネットワークサービスを提供するために、既存に構築されていた銅線（ｃｏｐｐｅｒ  ｗｉｒｅ）は、より効率的な通信のためにドメインマスタ１１８のうちのいずれか１つとエンドポイント１３０のうちのいずれか１つとがペアリング（ｐａｉｒｉｎｇ）される（ステップ４０２）。特に多数のドメインマスタ１１８と多数のエンドポイント１３０とがバンドルケーブルにより結合される場合は、バンドルケーブル内の干渉によりドメインマスタ１１８に、該当エンドポイントではなく隣接したエンドポイントが登録される恐れがあるので、これを防止するためにペアリングが行われる。
【００３８】
ペアリングによりドメインマスタ１１８の該当ポートにエンドポイント１３０が正常に連結されると、ドメインマスタは、周期的なマップメッセージ（Ｍａｐ  Ｍｅｓｓａｇｅ）を用いてペアリング情報を登録する（ステップ４０４）。すなわち、ドメインマスタは、どのエンドポイントと連結されたのかを登録する。登録されたペアリング情報は、ドメインマスタ１１８によりプロセッサ１１２に通知される（ステップ４０６）。プロセッサ１１２は、ペアリング情報登録をネットワークを介してコントロールサーバ１０２に報告する（ステップ４０８）。コントロールサーバ１０２は、受信したペアリング情報に基づいてエンドポイントデータベースを管理する。またコントロールサーバ１０２は、予め定められたことに基づいて（周期的にまたはイベントにトリガーされて）ネットワーク１０４を介してチャンネル評価を要求する（ステップ４１２）。
【００３９】
プロセッサ１１２は、コントロールサーバ１０２からチャンネル評価要求が受信されると、これをドメインマスタ１１８に伝達し（ステップ４１４）、ドメインマスタ１１８とエンドポイント１３０との間にチャンネル評価が行われる（ステップ４１６）。チャンネル評価結果は、ドメインマスタ１１８からプロセッサ１１２に報告され（ステップ４１８）、プロセッサ１１２は、チャンネル評価結果をネットワーク１０４を介してコントロールサーバ１０２に伝送する（ステップ４２０）。コントロールサーバ１０２は、チャンネル評価結果に基づいて各ドメインマスタ間のインターフェアランス（ｉｎｔｅｒｆｅｒｅｎｃｅ）を算出してダウンリンク側のネットワークプロビジョニングに要求されるネットワークパラメーターを生成する（ステップ４２２）。ここで、コントロールサーバ１０２は、各ドメインマスタ１１８間のインターフェアランスが影響を及ぼさないか、最小化されるようにプロビジョニングするためのネットワークパラメーターを生成する。このような方法としては、ＰＳＤパワーコントロール（ＰＳＤ  ｐｏｗｅｒ  ｃｏｎｔｒｏｌ）、ビットローディング割り当て（ｂｉｔ  ｌｏａｄｉｎｇ  ａｌｌｏｃａｔｉｏｎ）、トーン間隔（ｔｏｎｅ  ｓｐａｃｉｎｇ）等がある。
【００４０】
生成されたネットワークパラメーター及びプロビジョニング要求がコントロールサーバ１０２からプロセッサ１１２に伝送され（ステップ４２４）、プロセッサ１１２の制御によりダウンリンク側のネットワークリソースに対するプロビジョニングが行われる（ステップ４２６）。
【００４１】
一方、コントロールサーバ１０２によりドメインマスタの同期化要求がプロセッサ１１２に伝達され（ステップ４２８）、それに応答してプロセッサ１１２がドメインマスタ（１１８）に対する同期化を行い（ステップ４３０）、ドメインマスタ１１８とエンドポイント１３０との間のデータサービスが行われるようにできる（ステップ４４０）。
【００４２】
図５は、本発明の一実施例に係るネットワークアクセス装置におけるデータインサービス中に加入者側のネットワークのリソースプロビジョニング（ｒｅｓｏｕｒｃｅ  ｐｒｏｖｉｓｉｏｎｉｎｇ）が行われることを説明するための図である。
【００４３】
図５を参照すると、ステップ５０２で、ドメインマスタ１１８とエンドポイント１３０との間にデータサービスが行われる。このようにデータサービスが行われる間にコントロールサーバ１０２がチャンネル評価要求をプロセッサ１１２に伝送する（ステップ５１０）。プロセッサ１１２は、受信したチャンネル評価要求をドメインマスタ１１８に伝送し（ステップ５１２）、ドメインマスタ１１８とエンドポイント１３０との間のチャンネル評価が行われる（ステップ５１４）。チャンネル評価結果は、プロセッサ１１２に報告され（ステップ５１６）、プロセッサ１１２によりコントロールサーバ１０２に伝送される（ステップ５１８）。
【００４４】
コントロールサーバ１０２は、チャンネル評価結果について信号対雑音比のモニタリング（ＳＮＲ  Ｍｏｎｉｔｏｒｉｎｇ）を行い（ステップ５０２）、リソースプロビジョニングが必要であるかどうかを検出する（ステップ５２２）。具体的に、ＳＮＲモニタリング中に運営者が設定したスレッショルド値（ｔｈｒｅｓｈｏｌｄ  ｖａｌｕｅ）を超えるか、または急なＳＮＲ低下状況を検出することができる。
【００４５】
リソースプロビジョニングが必要であると判断されると、チャンネル再評価の要求がプロセッサ１１２を経由してドメインマスタ１１８に伝達され（ステップ５２４、ステップ５２６）、ドメインマスタ１１８とエンドポイント１３０との間のチャンネル評価が再び行われる（ステップ５２８）。チャンネル評価結果は、プロセッサ１１２に報告され（ステップ５３０）、引き続きネットワーク１０４を経由してコントロールサーバ１０２に報告される（ステップ５３２）。
【００４６】
コントロールサーバ１０２は、チャンネル再評価結果に基づいてインターフェアランスを算出し、リソースプロビジョニングに要求されるパラメーターを算出する（ステップ５３４）。
【００４７】
リソースプロビジョニング要求に関連するネットワークパラメーターは、ネットワークアクセス装置のプロセッサ１１２にネットワーク１０４を経由して伝送され（ステップ５３６）、これに基づいてプロセッサ１１２は、加入者側のネットワークリソースプロビジョニングを行う（ステップ５３８）。一方、コントロールサーバ１０２によりドメインマスタ同期化の要求がプロセッサ１１２に伝達され（ステップ５４０）、それに応答してプロセッサ１１２がドメインマスタ１１８に対する同期化を行い（ステップ５４２）、ドメインマスタ１１８とエンドポイント１３０との間のデータサービスが行われるようにできる（ステップ５４４）。
【００４８】
図６は、本発明の一実施例に係るネットワークアクセス装置を用いて構築されたネットワークサービスシステムの一例を示す図である。
【００４９】
図６を参照すると、ネットワークアクセス装置（ＧＡＭ：Ｇ．ｈｎ  Ａｃｃｅｓｓ  Ｍｕｌｔｉｐｌｅｘｅｒ、１１０）とエンドポイント６１０、６２０とが銅線ケーブルにより結合されている。銅線ケーブルの例として、電話線、ＵＴＰ等が挙げられる。
【００５０】
図６のエンドポイント６１０は、電力線を用いて個人用コンピュータ（ＰＣ、６１２）に結合されており、ＰＣ６１２は、セットトップボックス６１４に結合されている。またエンドポイント６２０は、電話線等の銅線ケーブルを用いてセットトップボックス６２２に結合されており、セットトップボックス６２２は、ギガワイパイ端子６２４に結合されている。
【００５１】
図６から分かるように、本発明の実施例に係るネットワークアクセス装置及び方法は、ホーム区間のネットワークに対するプロビジョニングのために外部広帯域ネットワークに結合されているコントロールサーバ１０２からネットワークパラメーターを発生させ、ネットワークアクセス装置内のプロセッサ１１２がプロビジョニングを行うための制御を担う。したがって、動的にホーム区間のネットワークを管理することができる。
【図１】
0006506286.tif 000002
【図２】
0006506286.tif 000003
【図３】
0006506286.tif 000004
【図４】
0006506286.tif 000005
【図５】
0006506286.tif 000006
【図６】
0006506286.tif 000007